(57)【要約】【課題】  多量な接着剤や煩雑な接着剤塗布作業および接合作業を要せず、極めて容易かつ低廉に作製できるダンボール積層体およびその製造方法を提供する。【解決手段】本発明のダンボール積層体１は、厚さ方向に複数のダンボール板を積層して作製されたダンボール積層体であって、ダンボール積層体１は、厚さ方向の両側にそれぞれ配された表裏ダンボール板２，３と、表裏ダンボール板２，３間に配された中間層材４とを有し、表裏ダンボール板２，３の挿入片５，６が中間層材４の貫通穴７内に挿入されて表裏ダンボール板２，３間に中間層材４が係止されている。【選択図】図１
2013056456.tif 000002
【特許請求の範囲】
【請求項１】
厚さ方向に複数のダンボール板を積層して作製されたダンボール積層体であって、該ダンボール積層体は、厚さ方向の両側にそれぞれ配された表裏ダンボール板と、該表裏ダンボール板間に配された中間層材とを有し、前記表裏ダンボール板のうちの少なくとも一方には挿入片が形成されており、前記中間層材には表裏ダンボール板間に渡って設けられた貫通穴が形成されており、前記表裏ダンボール板の前記挿入片が前記中間層材の前記貫通穴内に挿入されて前記表裏ダンボール板間に前記中間層材が係止されていることを特徴するダンボール積層体。
【請求項２】
前記表裏ダンボール板は、側壁部を介して連設されている請求項１に記載のダンボール積層体。
【請求項３】
前記表裏ダンボール板はそれぞれ前記挿入片を有し、前記中間層材の前記貫通穴内にそれぞれ挿入されている請求項１または２に記載のダンボール積層体。
【請求項４】
前記表裏ダンボール板にそれぞれ設けられた前記挿入片は、前記中間層材の前記貫通穴内にそれぞれ挿入されると共に面当接して接着されている請求項３に記載のダンボール積層体。
【請求項５】
前記表裏ダンボール板の前記挿入片は係止手段を有している請求項１ないし３のいずれかに記載のダンボール積層体。
【請求項６】
前記挿入片の前記係止手段は、前記挿入片の先端部に設けられ前記中間層材の前記貫通穴の幅より大きな拡大部である請求項５に記載のダンボール積層体。
【請求項７】
前記挿入片の前記係止手段は、前記挿入片の先端部に設けられた屈曲部である請求項５に記載のダンボール積層体。
【請求項８】
前記挿入片の前記係止手段は、前記挿入片の先端部に設けられ、対向する表裏ダンボール板に設けられた挿入片挿入穴を貫通した後、当該ダンボール板の表面に接合される延出部である請求項５に記載のダンボール積層体。
【請求項９】
厚さ方向に複数のダンボール板を積層して作製されたダンボール積層体の製造方法であって、厚さ方向の両側にそれぞれ配される表裏ダンボール板と該表裏ダンボール板間に配される中間層材を所望の形状に成形する工程と、前記表裏ダンボール板のうちの少なくとも一方に挿入片を形成する工程と、前記中間層材に貫通穴を設ける工程と、前記中間層材を前記表裏ダンボール板間に配する工程と、前記表裏ダンボール板の前記挿入片を前記中間層材の前記貫通穴内に挿入し前記表裏ダンボール板間に前記中間層材を係止させる工程を有していることを特徴するダンボール積層体の製造方法である。
【発明の詳細な説明】
【技術分野】
【０００１】
本発明は、例えば、梱包材、ダンボールパレットまたは建材などに使用して好適なダンボール積層体およびその製造方法に関するものである。
【背景技術】
【０００２】
ダンボールは適度な圧縮強度を有し、軽量性、低廉性、断熱性、加工容易性、施工容易性、遮音性またはリサイクル性等に優れていることから、板材としての使用のみならず、厚さ方向に積層して積層体としても多用されている。
【先行技術文献】
【特許文献】
【０００３】
【特許文献１】特開２００１−３３６２４８号
【発明の概要】
【発明が解決しようとする課題】
【０００４】
しかし、複数のダンボール板を積層体にするには、ダンボール板同士を接着剤で貼り合わせているため、多量の接着剤を要すると共に煩雑な接着剤塗布作業および接合作業を要しコスト高の要因となっていた。
【０００５】
そこで、本発明の課題は、多量な接着剤や煩雑な接着剤塗布作業および接合作業を要せず、極めて容易かつ低廉に作製できるダンボール積層体およびその製造方法を提供することにある。
【０００６】
上記課題を解決するものは、厚さ方向に複数のダンボール板を積層して作製されたダンボール積層体であって、該ダンボール積層体は、厚さ方向の両側にそれぞれ配された表裏ダンボール板と、該表裏ダンボール板間に配された中間層材とを有し、前記表裏ダンボール板のうちの少なくとも一方には挿入片が形成され、前記中間層材には表裏ダンボール板間に渡って設けられた貫通穴が形成され、前記表裏ダンボール板の前記挿入片が前記中間層材の前記貫通穴内に挿入されて前記表裏ダンボール板間に前記中間層材が係止されていることを特徴するダンボール積層体である。
【０００７】
前記表裏ダンボール板は、側壁部を介して連設されていることが好ましい。前記表裏ダンボール板はそれぞれ前記挿入片を有し、前記中間層材の前記貫通穴内にそれぞれ挿入されていることが好ましい。前記表裏ダンボール板にそれぞれ設けられた前記挿入片は、前記中間層材の前記貫通穴内にそれぞれ挿入されると共に面当接して接着されていることが好ましい。前記表裏ダンボール板の前記挿入片は係止手段を有していることが好ましい。前記挿入片の前記係止手段は、前記挿入片の先端部に設けられ前記中間層材の前記貫通穴の幅より大きな拡大部であってもよい。前記挿入片の前記係止手段は、前記挿入片の先端部に設けられた屈曲部であってもよい。前記挿入片の前記係止手段は、前記挿入片の先端部に設けられ、対向する表裏ダンボール板に設けられた挿入片挿入穴を貫通した後、当該ダンボール板の表面に接合される延出部であってもよい。
【０００８】
また、上記課題を解決するものは、厚さ方向に複数のダンボール板を積層して作製されたダンボール積層体の製造方法であって、厚さ方向の両側にそれぞれ配される表裏ダンボール板と該表裏ダンボール板間に配される中間層材を所望の形状に成形する工程と、前記表裏ダンボール板のうちの少なくとも一方に挿入片を形成する工程と、前記中間層材に貫通穴を設ける工程と、前記中間層材を前記表裏ダンボール板間に配する工程と、前記表裏ダンボール板の前記挿入片を前記中間層材の前記貫通穴内に挿入し前記表裏ダンボール板間に前記中間層材を係止させる工程を有していることを特徴するダンボール積層体の製造方法である。
【発明の効果】
【０００９】
請求項１に記載した発明によれば、多量な接着剤や煩雑な接着剤塗布作業および接合作業を要せず、極めて容易かつ低廉に作製できるダンボール積層体となる。
請求項２に記載した発明によれば、上記請求項１の効果に加え、側壁部で中間層材を被包するため、表裏ダンボール板と中間層材がより分離しないダンボール積層体となる。
請求項３に記載した発明によれば、上記請求項１または２の効果に加え、表裏両側から中間層材の貫通穴内に挿入片が挿入されるため、表裏ダンボール板と中間層材がより分離しないダンボール積層体となる。
請求項４に記載した発明によれば、上記請求項３の効果に加え、表裏両側から貫通穴内に挿入された挿入片が接着されるため、表裏ダンボール板と中間層材がさらに分離しないダンボール積層体となる。
請求項５ないし８に記載した発明によれば、挿入片が係止手段を有しているため、表裏ダンボール板と中間層材がより分離しないダンボール積層体となる。
請求項９に記載した発明によれば、多量な接着剤や煩雑な接着剤塗布作業および接合作業を要せず、極めて容易かつ低廉にダンボール積層体を作製できる。
【図面の簡単な説明】
【００１０】
【図１】本発明のダンボール積層体の一実施例の平面図である。
【図２】図１に示したダンボール積層体の表裏ダンボール板の縮小展開図である。
【図３】図１に示したダンボール積層体の中間層材の平面図である。
【図４】図１に示したダンボール積層体における表裏ダンボール板と中間層材間の係止構造を説明するための説明図（側面側）である。
【図５】図１に示したダンボール積層体における表裏ダンボール板と中間層材間の係止構造を説明するための説明図（背面側）である。
【図６】図１に示したダンボール積層体における表裏ダンボール板と中間層材間の係止構造を説明するための部分拡大縦断面図である。
【図７】図１に示したダンボール積層体における表裏ダンボール板と中間層材間の係止構造を説明するための部分拡大平面図である。
【図８】図１に示したダンボール積層体における表裏ダンボール板と中間層材間の係止構造を説明するための部分拡大底面図である。
【図９】本発明のダンボール積層体の他の実施例における表裏ダンボール板と中間層材間の係止構造を説明するための説明図（側面側）である。
【図１０】図９に示したダンボール積層体における表裏ダンボール板と中間層材間の係止構造を説明するための説明図（背面側）である。
【図１１】図９に示したダンボール積層体における表裏ダンボール板と中間層材間の係止構造を説明するための部分拡大縦断面図である。
【図１２】図９に示したダンボール積層体における表裏ダンボール板と中間層材間の係止構造を説明するための部分拡大平面図である。
【図１３】図９に示したダンボール積層体における表裏ダンボール板と中間層材間の係止構造を説明するための部分拡大底面図である。
【図１４】本発明のダンボール積層体の他の実施例における表裏ダンボール板と中間層材間の係止構造を説明するための説明図（側面側）である。
【図１５】図１４に示したダンボール積層体における表裏ダンボール板と中間層材間の係止構造を説明するための説明図（背面側）である。
【図１６】図１４に示したダンボール積層体における表裏ダンボール板と中間層材間の係止構造を説明するための部分拡大縦断面図である。
【図１７】図１４に示したダンボール積層体における表裏ダンボール板と中間層材間の係止構造を説明するための部分拡大平面図である。
【図１８】図１４に示したダンボール積層体における表裏ダンボール板と中間層材間の係止構造を説明するための部分拡大底面図である。
【図１９】本発明のダンボール積層体の他の実施例における表裏ダンボール板と中間層材間の係止構造を説明するための説明図（側面側）である。
【図２０】図１９に示したダンボール積層体における表裏ダンボール板と中間層材間の係止構造を説明するための説明図（背面側）である。
【図２１】図１９に示したダンボール積層体における表裏ダンボール板と中間層材間の係止構造を説明するための部分拡大縦断面図である。
【図２２】図１９に示したダンボール積層体における表裏ダンボール板と中間層材間の係止構造を説明するための部分拡大平面図である。
【図２３】図１９に示したダンボール積層体における表裏ダンボール板と中間層材間の係止構造を説明するための部分拡大底面図である。
【発明を実施するための形態】
【００１１】
本発明では、表裏ダンボール板２，３の挿入片５，６が中間層材４の貫通穴７内に挿入されて表裏ダンボール板２，３間に中間層材４が係止されていることにより、多量な接着剤や煩雑な接着剤塗布作業および接合作業を要せず、極めて容易かつ低廉に作製できるダンボール積層体１を実現した。
【実施例１】
【００１２】
本発明のダンボール積層体１を図１ないし図８に示した一実施例を用いて説明する。
この実施例のダンボール積層体１は、図１に示すように、厚さ方向に複数のダンボール板を積層して作製されたダンボール積層体であって、ダンボール積層体１は、厚さ方向の両側にそれぞれ配された表裏ダンボール板２，３と、表裏ダンボール板２，３間に配された中間層材４とを有し、表裏ダンボール板２，３には挿入片５，６がそれぞれ形成されており、中間層材４には表裏ダンボール板２，３間に渡って設けられた貫通穴７が形成され、表裏ダンボール板２，３の挿入片５，６が中間層材４の貫通穴７内にそれぞれ挿入されて表裏ダンボール板２，３間に中間層材４が係止されていることを特徴するダンボール積層体である。以下、各構成について順次詳述する。
【００１３】
ダンボール積層体１は、樹脂製、金属製または紙製のフィルムやシート等の帯状体を中空芯に巻回したロール製品を輸送・保管する場合に使用されるロール製品支持用梱包材であり、図１ないし図３に示したロール製品嵌入穴８内にロール製品を嵌め入れてロール製品を保持させて使用するものである。
【００１４】
ただし、本発明のダンボール積層体はロール製品支持用梱包材に限定されるものでなく、例えばロール製品支持用梱包材以外の梱包材、ダンボールパレットまたは建材など、ダンボール板を積層したものを広く包含するものである。
【００１５】
ダンボール積層体１は、厚さ方向の両側にそれぞれ配された表裏ダンボール板２，３と、表裏ダンボール板２，３間に配された２枚の中間層材４が積層されて構成されており、表裏ダンボール板２，３および２枚の中間層材４はいずれも紙製ダンボール板にて形成されている。
【００１６】
ただし、本願でいうダンボールは、紙製ダンボールに限定されるものではなく、プラスチックダンボール、耐水ダンボール等の各種ダンボールを含む概念であり、本発明のダンボール積層体には、表裏ダンボール板および中間層材がプラスチックダンボールから構成されるもの、紙製ダンボールとプラスチックダンボールの組み合わせからなるもの、あるいは、表裏ダンボール板が各種ダンボールからなり、中間層材がダンボール以外の例えば木質系、樹脂系、金属製、紙製、発泡体等の板状体からなるものを広く包含する。
【００１７】
表裏ダンボール板２，３は、図２に示すように、側壁部９ａ，９ｂを介して連設されている。具体的には、裏ダンボール板３の両側に側壁部９ａ，９ｂがそれぞれ設けられ、側壁部９ａ，９ｂの両側に表ダンボール板２を構成する２分された表ダンボール板２ａ，２ｂが設けられ、それらが一枚のダンボールにより一体成形されている。そして、中間層材４の厚さ分の高さを有する側壁部９ａ，９ｂを上下で２度直角に屈曲させることにより、２分された表ダンボール板２ａ，２ｂが中央部で係合し上面部を構成するように形成されている。このように、ダンボール積層体１では、表裏ダンボール板２，３と側壁部９ａ，９ｂで筒状体を構成しその内部に中間層材４を配し、表裏ダンボール板２，３および側壁部９ａ，９ｂで中間層材４を被包するように構成されているため、表裏ダンボール板２，３と中間層材４がより分離しない構造が採用されている。
【００１８】
ただし、本発明のダンボール積層体はこれに限定されるものではなく、表裏ダンボール板が側壁部を介して連設されておらず分離したものも本発明の範疇に包含される。また、側壁部９ａ，９ｂには、突出片挿嵌穴１０が各３個ずつ離間して設けられており、後述する中間層材４の突出片１１を挿嵌可能に構成されている。
【００１９】
中間層材４は、表裏ダンボール板２，３間に配される板状部材であり、図３に示すような形状に成形された２枚のダンボール板より構成されている。ただし、中間層材４の枚数はこれに限定されるものではなく、１枚以上の中間層材を有するものは広く本発明の範疇に包含される。
【００２０】
中間層材４にも、表裏ダンボール板２，３と同様に、ロール製品嵌入穴８が多数設けられており、両端辺部に離間してそれぞれ３つ設けられた突出片１１を側壁部９ａ，９ｂに設けられた突出片挿嵌穴１０内に挿嵌して表裏ダンボール板２，３間に中間層材４を配すると、表裏ダンボール板２，３のロール製品嵌入穴８と中間層材４のロール製品嵌入穴８の位置が一致するように構成されている。このように、壁部９ａ，９ｂの突出片挿嵌穴１０は、表裏ダンボール板２，３および中間層材４間で、ロール製品嵌入穴８や貫通穴７の位置を一致させる作用を有すると共に、表裏ダンボール板２，３に中間層材４を係合させる作用を有する。
【００２１】
さらに、中間層材４には、貫通穴７が４ケ所に設けられている。この貫通穴７は、表裏ダンボール板２，３の挿入片５，６を挿入するための部位であり、表裏ダンボール板２，３の挿入片５，６が中間層材４の貫通穴７内に挿入されて表裏ダンボール板２，３間に中間層材４が係止されるように構成されている。
【００２２】
具体的には、中間層材４には、図６に示すように、表裏ダンボール板２，３間に渡って設けられた貫通穴７が形成されており、図４または図７に示すように、表ダンボール板２側から中間層材４の貫通穴７内に挿入片５が挿入され、図５または図８に示すように、裏ダンボール板３側から中間層材４の貫通穴７内に挿入片６が挿入されることにより、表裏ダンボール板２，３に中間層材４が係止されるように構成されている。なお、貫通穴７の横幅と縦幅が、挿入片５，６の横幅と縦幅（この実施例では２枚の挿入片５，６を重ねたものの横幅と縦幅）と略同一か後者の方が若干大きいと係止がより確実となる。
【００２３】
また、表裏ダンボール板２，３にそれぞれ設けられた挿入片５，６は、図６に示すように、中間層材４の貫通穴７内にそれぞれ挿入され、外面５ａ，６ａ同士で面当接し接着されている。これにより、表裏ダンボール板２，３と中間層材４がより分離しないダンボール積層体１が構成される。
【００２４】
このように、この実施例のダンボール積層体１は、挿入片５の外面５ａと挿入片６の外面６ａが接着面に構成され、これらが係止手段を構成している。なお、挿入片５の外面５ａと挿入片６の外面６ａの接着面は、外面５ａ，外面６ａに酢酸ビニル系樹脂等の接着剤が塗布されることにより形成されている。
【００２５】
以上のように、本発明のダンボール積層体１は、表裏ダンボール板２，３の挿入片５，６が中間層材４の貫通穴７内に挿入され、さらに、外面５ａ，６ａ同士が面当接し接着されることにより、表裏ダンボール板２，３間に中間層材４が係止され、多量な接着剤や煩雑な接着剤塗布作業および接合作業を要せず、極めて容易かつ低廉にダンボール積層体１が作製される。
【００２６】
つぎに、本発明のダンボール積層体の製造方法をダンボール積層体１の製造方法を例に説明する。
ダンボール積層体１は、厚さ方向の両側にそれぞれ配される表裏ダンボール板２，３と表裏ダンボール板２，３間に配される中間層材４を所望の形状に成形する工程と、表裏ダンボール板２，３に挿入片５，６を形成する工程と、中間層材４に貫通穴７を設ける工程と、中間層材４を表裏ダンボール板２，３間に配する工程と、表裏ダンボール板２，３の挿入片５，６を中間層材４の貫通穴４内に挿入し表裏ダンボール板２，３間に中間層材４を係止させる工程とを経て作製される。以下、各工程について順次詳述する。
【００２７】
厚さ方向の両側にそれぞれ配される表裏ダンボール板２，３と表裏ダンボール板２，３間に配される中間層材４を所望の形状に成形する工程は、ダンボール板を切断加工によって、図２または図３に示すように、表裏ダンボール板２，３および中間層材４を平面視略矩形に成形することにより行われている。
【００２８】
表裏ダンボール板２，３に挿入片５，６を形成する工程は、上記成形工程と同時に内側に向かって屈曲可能な挿入片５，６を形成することにより行われている。
【００２９】
中間層材４に貫通穴７を設ける工程は、上記成形工程と同時に、中間層材４に貫通穴７を切断加工することにより行われている。
【００３０】
中間層材４を表裏ダンボール板２，３間に配する工程は、裏ダンボール３の上面に中間層材を載置し、側壁部９ａ，９ｂを上下位置で２度直角に屈曲させ、２分された表ダンボール板２ａ，２ｂを中央部で係合させることにより行われている。
【００３１】
表裏ダンボール板２，３の挿入片５，６を中間層材４の貫通穴７内に挿入し表裏ダンボール板２，３間に中間層材４を係止させる工程は、図４ないし図８に示すように、表裏ダンボール板２，３の挿入片５，６が中間層材４の貫通穴７内に挿入され、さらに、挿入片５，６の外面５ａ，６ａ同士が面当接し接着されることにより行われている。
【００３２】
以上のように、本発明のダンボール積層体の製造方法では、表裏ダンボール板２，３の挿入片５，６を中間層材４の貫通穴７内に挿入することにより、表裏ダンボール板２，３間に中間層材４が係止されるため、多量な接着剤や煩雑な接着剤塗布作業および接合作業を要せず、極めて容易かつ低廉にダンボール積層体１を作製できる。
【００３３】
さらに、本発明のダンボール積層体の他の実施例について順次説明する。
図９ないし図１３に示したダンボール積層体２０と前述したダンボール積層体１との相違は、挿入片５，６の先端部に係止手段として中間層材４の貫通穴７の幅より大きな拡大部２１が設けられている点であり他の同様である。同一構成部分については同一符号を付し説明を省略する。
【００３４】
具体的には、挿入片５，６の先端部に設けられた拡大部２１は、図１０に示すように、最先端部が中間層材４の貫通穴７の横幅と略同一で基端側に向かって徐々に大きくなるように構成されており、中間層材４の貫通穴７に挿入すると、図１１ないし図１３に示すように、基端部の後端面が貫通穴７の周囲に面当接して抜け止めとして作用するように構成されている。このように、挿入片の先端部に係止手段として拡大部を設けたものも本発明の範疇に包含される。
【００３５】
図１４ないし図１８に示したダンボール積層体３０と前述したダンボール積層体１との相違は、挿入片５，６の先端部に係止手段として屈曲部３１が設けられている点であり他の同様である。同一構成部分については同一符号を付し説明を省略する。
【００３６】
具体的には、挿入片５，６の先端部に設けられた屈曲部３１は、図１４に示すように、挿入片５，６を屈曲して形成され、この状態で中間層材４の貫通穴７に挿入すると、図１６に示すように、屈曲部３１の後端面が貫通穴７の周囲に面当接して抜け止めとして作用するように構成されている。このように、挿入片の先端部に係止手段として屈曲部を設けたものも本発明の範疇に包含される。
【００３７】
図１９ないし図２３に示したダンボール積層体４０と、前述したダンボール積層体１との相違は、挿入片が裏ダンボール板３には設けられておらず、表ダンボール板２にのみ挿入片５が設けられている点と、挿入片５の先端に設けられた延出部４１が裏ダンボール板３に設けられた挿入片挿入穴４２を貫通すると共に挿入片５の延出部４１が裏ダンボール板３の表面に接合されている点であり他は同様である。同一構成部分については同一符号を付し説明を省略する。
【００３８】
具体的には、表ダンボール板２の挿入片５は、図２０に示すように、裏ダンボール板３の表面に接合される延出部４１分、長く構成されており、中間層材４の貫通穴７および裏ダンボール板３の挿入片挿入穴４２を貫通した後、直角に屈曲された後、図２１または図２３に示すように、延出部４１が裏ダンボール板３の表面に接合されている。このように、挿入片が表裏ダンボール板２，３のいずれか一方のみに設けられたもの、挿入片の先端に設けられた延出部が対向する表裏ダンボール板（なお、対向する表裏ダンボール板とは、表ダンボール板に対しては裏ダンボール板、裏ダンボール板に対しては表ダンボール板を意味する。）の表面に接合されて係止されたものも本発明の範疇に包含される。
【符号の説明】
【００３９】
１            ダンボール積層体
２            表ダンボール板
３            裏ダンボール板
４            中間層材
５，６        挿入片
７            貫通穴
８            ロール製品嵌入穴
９ａ，９ｂ    側壁部
１０          突出片挿嵌穴
１１          突出片
【図１】
2013056456.tif 000003
【図２】
2013056456.tif 000004
【図３】
2013056456.tif 000005
【図４】
2013056456.tif 000006
【図５】
2013056456.tif 000007
【図６】
2013056456.tif 000008
【図７】
2013056456.tif 000009
【図８】
2013056456.tif 000010
【図９】
2013056456.tif 000011
【図１０】
2013056456.tif 000012
【図１１】
2013056456.tif 000013
【図１２】
2013056456.tif 000014
【図１３】
2013056456.tif 000015
【図１４】
2013056456.tif 000016
【図１５】
2013056456.tif 000017
【図１６】
2013056456.tif 000018
【図１７】
2013056456.tif 000019
【図１８】
2013056456.tif 000020
【図１９】
2013056456.tif 000021
【図２０】
2013056456.tif 000022
【図２１】
2013056456.tif 000023
【図２２】
2013056456.tif 000024
【図２３】
2013056456.tif 000025